(57)【要約】【課題】  保安灯が位置する場所の下方の視認性を従来に比して著しく高めることができ、殊にカットコーンの台座部に起因する事故を減少させることができる保安灯の提供を課題とする。【解決手段】  カットコーン２の上部に装着される保安灯１は、カットコーン２の上部に載置可能な円盤状の基盤部１１と、基盤部１１の上部を覆う光が透過可能な材料からなるカバー部材１３と、基盤部１１の下面に配設されカットコーン２の内側に位置している不図示のバッテリー収納部とによって構成されている。カバー部材１３内の発光体の光は、主に水平方向に放射される。基盤部１１の外側壁部には、下方向に向う光を放射する複数個の発光体１７が配設されている。【選択図】  図２
0003220255.tif 000002
【実用新案登録請求の範囲】
【請求項１】
道路の工事現場等で使用される円錐台形状で頂面部の中央に円形の透孔部を有するカットコーンに装着される保安灯であって、ガードレールや金属製パイプ等の資材にも装着可能な保安灯において、
当該保安灯は、前記カットコーンの頂面部上に載置可能な円盤状の基盤部と、該基盤部の下面側の中央部に下方向に延在するように配設された有底円筒状のバッテリー収納部と、前記円盤状の基盤部の上部を覆うように配設された光が透過可能な材料からなるカバー部材とによって構成され、
前記カバー部材の内部には、前記バッテリー収納部内のバッテリーによって点灯する発光体であって、前記円盤状の基盤部の外周方向に向う光を放射する複数個の発光体が配設され、
前記カバー部材の外側壁部または／および前記円盤状の基盤部の外側壁部には、前設バッテリー収納部内のバッテリーによって点灯する発光体であって、前記円盤状の基盤部の下方向に向う光を放射する複数個の発光体が配設されていることを特徴とする保安灯。
【考案の詳細な説明】
【技術分野】
【０００１】
本考案は、道路の工事現場等に配置される円錐台形状のカットコーンの上部に装着される他、工事現場等で使用される金属製パイプ等の資材にも装着可能な保安灯に関するものである。
【背景技術】
【０００２】
従来から、夜間の工事現場やトンネル内の工事現場のように暗い工事現場に配置する円錐台形状のカットコーンには、図５（ａ）に示すような保安灯１をカットコーン２の上部に装着して、カットコーン２の視認性を高めている。
【０００３】
図５（ａ）において、１は保安灯、２はカットコーンである。カットコーン２は、円錐台形状のカットコーン本体２１とその台座部２２とによって構成されており、カットコーン本体２１の側壁部には光を反射する反射部材２３が配設されている。
【０００４】
図５（ｂ）に示すようにカットコーン２の頂面部２４の中央には円形の透孔部２５が形成されている。保安灯１は、カットコーン２の頂面部２４に載置可能な円盤状の基盤部１１と、その下面の中央部に設けられた有底円筒状のバッテリー収納部１２と、基盤部１１の上部を覆うように配設された光が透過可能な材料からなるカバー部材１３とによって構成されている。
【０００５】
このカバー部材１３の内部には、円盤状の基盤部１１の外周方向に向う光を放射するように複数個の発光体（ＬＥＤ等の発光体）が配設されている。図６に示すように、カバー部材１３の内部に配設されている発光体１５は、バッテリー収納部１２内のバッテリー１４の電力を用いて点灯するものであり、その点滅は、カバー部材１３の内部に配設されている発光制御装置１６によって制御されている。
【０００６】
以上のように構成された従来の保安灯１を、図７に示すようにカットコーン２の上部に装着して、その内部の発光体を点滅させると、発光体の光は主に水平方向に向って放射されるので、暗い場所でも遠方の歩行者やドライバーに対して注意を促すことができる。また、自動車のヘッドライト等の光がカットコーン２の反射部材２３に当たると、その光が反射部材２３によって反射されるので、その反射光によってもドライバー等に対して注意を促すことができる。
【０００７】
さらに、このようなカットコーン２に装着される保安灯１は、図８に示すような保安灯固定用ネジ３ａと資材固定用ネジ３ｂとを有する専用の取付器具３を使用することにより、道路のガードレールや、工事現場で使用される金属製パイプ（単管）等の資材にも取り付けて使用することができる。その使用例として、取付器具３を用いて保安灯１を資材４に装着した状態を図９に示す。
【０００８】
以上のような保安灯１を装着したカットコーン２を、図１０（ａ）に示したようにトンネルＴ内の工事現場の境界の位置に配置しておけば、暗いトンネルＴ内においても、遠方のドライバーは、特に注意を要する工事範囲を容易に認識することができる。また、保安灯１を資材４に装着して、その資材４を図１０（ｂ）に示すように工事現場の境界の位置に配置しても同様の効果を得ることができる。
【考案の概要】
【考案が解決しようとする課題】
【０００９】
以上説明したように、従来の保安灯１は主に水平方向に光を放射する構成となっているために、暗い場所でも遠方の歩行者やドライバーに対して注意を促すことができる。
【００１０】
しかしながら、従来の保安灯１には以下のような問題があった。
【００１１】
すなわち、図７に示したように従来の保安灯１は、主に水平方向に光を放射する構成となっているために、カットコーン２の台座部２２付近は暗い状態のままであり、このため台座部２２の視認性が悪く、工事の作業員や通行人が台座部２２で躓いたり、作業用の台車の車輪や自転車の車輪が台座部２２に乗り上げてしまい、その結果、作業員等の人々が怪我をしてしまうことがあるという問題があった。
【００１２】
また、従来の保安灯１は、主に水平方向に光を放射する構成となっているので、図１１（ａ），（ｂ）に示すようにトンネルＴ内を走行中のドライバーの直前にトレーラー等の大型車Ａが走行している場合には、前方に位置する保安灯１の光が大型車Ａの車体によって遮られてしまう。このため後続車のドライバーは、前方の工事範囲に関する情報を全く得ることができなくなってしまうという問題もあった。
【課題を解決するための手段】
【００１３】
以上の問題を解消するために、本考案は、道路の工事現場等で使用される円錐台形状で頂面部の中央に円形の透孔部を有するカットコーンに装着される保安灯であって、ガードレールや金属製パイプ等の資材にも装着可能な保安灯において、当該保安灯は、前記カットコーンの頂面部上に載置可能な円盤状の基盤部と、該基盤部の下面側の中央部に下方向に延在するように配設された有底円筒状のバッテリー収納部と、前記円盤状の基盤部の上部を覆うように配設された光が透過可能な材料からなるカバー部材とによって構成され、前記カバー部材の内部には、前記バッテリー収納部内のバッテリーによって点灯する発光体であって、前記円盤状の基盤部の外周方向に向う光を放射する複数個の発光体が配設され、前記カバー部材の外側壁部または／および前記円盤状の基盤部の外側壁部には、前設バッテリー収納部内のバッテリーによって点灯する発光体であって、前記円盤状の基盤部の下方向に向う光を放射する複数個の発光体が配設されていることを特徴とするものである。
【考案の効果】
【００１４】
本考案によれば、保安灯が位置する場所の下方の視認性を従来に比して著しく高めることができ、殊にカットコーンの台座部に起因する事故を減少させることができる。
【図面の簡単な説明】
【００１５】
【図１】本考案の実施例１の構成を示す斜視図である。
【図２】本考案の実施例１の動作の説明図である。
【図３】本考案の実施例１の動作の説明図である。
【図４】本考案の実施例１の動作の説明図である。
【図５】従来の保安灯の構成の説明図である。
【図６】従来の保安灯の構成の説明図である。
【図７】従来の保安灯の動作の説明図である。
【図８】従来の保安灯の使用方法の説明図である。
【図９】従来の保安灯の使用方法の説明図である。
【図１０】従来の保安灯の動作の説明図である。
【図１１】従来の保安灯の動作の説明図である。
【考案を実施するための形態】
【００１６】
以下、図面を用いて本考案の実施例を説明する。
【実施例１】
【００１７】
図１（ａ）は本考案の実施例１の構成を示した斜視図である。
【００１８】
図１（ａ）において、円盤状の基盤部１１、バッテリー収納部１２、カバー部材１３およびカバー部材１３の内部の構成は、図５（ｂ）で示した従来の保安灯１の構成と同様であるので、その説明は省略する。
【００１９】
本実施例１においては、従来の保安灯１の構成に加えて、図１（ａ）に示したように、円盤状の基盤部１１の外側壁部に、基盤部１１の下方向に向う光を放射する複数個の発光体１７が配設されている。そして、この発光体１７の点滅は、従来からカバー部材１３内部に配設されている図６に示した発光体１５と同様に、カバー部材１３の内部に配設されている発行制御装置１６によって制御されている。
【００２０】
ここで、基盤部１１の下方向に向う光を放射する複数個の発光体１７は、図１（ｂ）に示すようにカバー部材１３の外側壁部に配設してもよい。
【００２１】
以上のように構成された本実施例１を、図２に示したようにカットコーン２の上部に装着して発光させると、カバー部材１３の内部の発光体の光は、主に水平方向に放射されて、従来例と同様に遠方の歩行者やドライバーに対して注意を促すことができる。
【００２２】
また、基盤部１１の外側壁部に配設されている発光体１７は下方向に向う光を放射するので、カットコーン２の台座部２２の視認性は著しく高まる。さらに発光体１７から放射される光はカットコーン２の反射部材２３で反射されるのでカットコーン本体２１自体の遠方からの視認性も高まる。
【００２３】
このような本実施例１を装着したカットコーン２を図３（ａ）に示したようにトンネルＴ内の工事現場の境界に配設した場合、カットコーン２の上部の保安灯１からの光のみならず、カットコーン２の反射部材からの反射光やカットコーン２が置かれている路面からの反射光がドライバーに届くので、従来の保安灯に比してカットコーン２の上下方向における視認性を著しく高めることができる。
【００２４】
また、図３（ｂ）に示したように、本実施例１を資材４に装着してトンネルＴ内の工事現場に置いた場合も、資材４を置いてある場所の地面からの反射光がドライバーに届くので、従来の保安灯に比してその視認性を高めることができる。
【００２５】
このように、本実施例１によれば、従来の保安灯に比して、地面からの反射光がドライバーに届くので、図４（ａ），（ｂ）に示したように、直前を大型車Ａが走行している場合でも、後続車のドライバーは前方の工事範囲の情報を得ることができる。
【符号の説明】
【００２６】
１  保安灯
２  カットコーン
３  取付器具
３ａ  保安灯固定用ネジ
３ｂ  資材固定用ネジ
４  資材
１１  基盤部
１２  バッテリー収納部
１３  カバー部材
１４  バッテリー
１５，１７  発光体
１６  発光制御装置
２１  カットコーン本体
２２  台座部
２３  反射部材
２４  頂面部
２５  透孔部
Ａ  大型車
Ｔ  トンネル
【図１】
0003220255.tif 000003
【図２】
0003220255.tif 000004
【図３】
0003220255.tif 000005
【図４】
0003220255.tif 000006
【図５】
0003220255.tif 000007
【図６】
0003220255.tif 000008
【図７】
0003220255.tif 000009
【図８】
0003220255.tif 000010
【図９】
0003220255.tif 000011
【図１０】
0003220255.tif 000012
【図１１】
0003220255.tif 000013